(57)【要約】【課題】屋内空気の換気送風を行う換気送風装置において、有害物質を検出した際には換気送風装置を自動で換気送風運転すること、また、換気送風装置の換気送風運転状態を報知することにより、居住者に安全および健康に過ごせる空間を提供することを目的とする。【解決手段】屋内空気の換気送風を行う換気送風装置１本体あるいは換気送風装置１外部の少なくとも１箇所に、有害物質を検出する有害物質検出手段２を備え、有害物質の検出値に基づき必要換気回数を演算および判定する必要換気回数演算判定手段３と、前記必要換気回数演算判定手段３の結果に応じて換気送風運転を行い、また予め決められた報知事項を報知する報知手段４を備えることにより、居住者に換気送風装置の換気送風運転状態および空気汚染度合いの把握と、安全に、健康に過ごせる空間を提供できる。【選択図】図１
2005214432.tif 000002
【特許請求の範囲】
【請求項１】
屋内空気の換気送風を行う換気送風装置本体あるいは換気送風装置外部の少なくとも１箇所に、有害物質を検出する有害物質検出手段を備え、前記有害物質検出手段による有害物質の検出値に基づき必要換気回数を演算および判定する必要換気回数演算判定手段と、前記必要換気回数演算判定手段の結果に応じて屋内空気の換気送風を行う換気送風運転を行い、また予め決められた報知事項を報知する報知手段を備えた換気送風装置。
【請求項２】
必要換気回数演算判定手段のかわりに必要換気量を演算および判定する必要換気量演算判定手段を備えたことを特徴とする請求項１記載の換気送風装置。
【請求項３】
必要換気回数演算判定手段または必要換気量演算判定手段の結果に応じて換気送風装置の換気風量を制御する風量制御手段を備えたことを特徴とする請求項１または２に記載の換気送風装置。
【請求項４】
前記有害物質検出手段による有害物質の検出値に基づき建材の種別を判定する建材判定手段を備え、建材判定手段により必要換気回数または必要換気量を演算および判定することを特徴とする請求項１、２または３に記載の換気送風装置。
【請求項５】
有害物質検出手段で検出する物質がホルムアルデヒドであることを特徴とする請求項１、２、３または４に記載の換気送風装置。
【請求項６】
有害物質検出手段で検出する物質がクロルピリホスであることを特徴とする請求項１、２、３または４に記載の換気送風装置。
【請求項７】
有害物質検出手段を屋内の居室以外の空間に備えたことを特徴とする請求項１、２、３、４、５または６に記載の換気送風装置。
【請求項８】
居室内および屋内の居室以外のそれぞれに少なくとも１箇所以上、有害物質を検出する有害物質検出手段を備え、有害物質の検出箇所に対応した換気送風装置を制御する換気送風装置集中制御手段を備え、前記換気送風装置集中制御手段は前記有害物質検出手段から検出箇所を判定する検出箇所判定手段と前記検出箇所判定手段から必要換気回数または必要換気量を演算および判定する必要換気回数演算判定手段または必要換気量演算判定手段で構成されることを特徴とする請求項１、２、３、４、５または６に記載の換気送風装置。
【請求項９】
湿度を検出する湿度検出手段を備えたことを特徴とする請求項１、２、３、４、５、６、７または８に記載の換気送風装置。
【請求項１０】
有害物質検出手段のかわりに湿度を検出する湿度検出手段を備えたことを特徴とする請求項１、２、３、７または８に記載の換気送風装置。
【発明の詳細な説明】
【技術分野】
【０００１】
本発明は、屋内空気の換気送風を行う換気送風装置において居室あるいは屋内の居室以外の必要換気回数または必要換気量の演算および判定を行い、必要換気回数または必要換気量を満たす換気送風運転を行う換気送風装置に関する。
【背景技術】
【０００２】
住居の気密性が高くなっていることや、化学物質を放つ建材の使用およびエアコンなどの普及で窓を開けないなど、生活環境の変化から居室内、屋内の居室以外ともに空気が汚れがちであり、これがシックハウス症候群の原因と考えられている。その対策として建築基準法の改正（以下、「改正建基法」と称す。）で居室に常時換気可能な機械換気設備の義務付けおよび内装建築材料に使用規制が施行される等、換気送風装置の必要性、関心は高まっており、空気汚染検出機能を持ち、空気が汚染された際には、空気汚染度に応じた必要換気回数または必要換気量以上の換気量にて一刻も早く有害物質を除去すべく自動で換気送風運転を行い、その際、居住者に換気送風装置の換気送風運転状態および空気汚染度合いの報知および注意を促す報知手段を備えた換気送風装置が求められている。
【０００３】
また、有害物質の主要発生源が建材によるものである場合は特に、目視では居住者には使用している建材が、使用が禁止されている建材や、使用制限のある建材の種別が困難であり、有害物質発生量により建材を判別し、使用が禁止されている建材であった際には、居住者にその旨を報知する報知機能および警報機能と、また、使用制限などがある建材であった際には、必要換気回数または必要換気量以上の換気量にて一刻も早く有害物質を除去すべく自動で換気送風運転を行い、その際、居住者に換気送風装置の換気送風運転状態および空気汚染度合いの報知および注意を促す報知手段を備えた換気送風装置が求められている。
【０００４】
また、複数箇所に換気送風装置が設置され、住居全体を効率よく換気できるよう集中制御を行う集中制御機能を備えた換気送風装置について、有害物質を検出した際には発生源に対して除去効果の高い場所に設置されている換気送風装置を空気汚染度に応じた必要換気回数または必要換気量以上の換気量にて一刻も早く有害物質を除去すべく自動で換気送風運転を行い、その際、居住者に換気送風装置の換気送風運転状態および空気汚染度合いの報知および注意を促す報知手段を備えた換気送風装置が求められている。
【０００５】
従来、この種のものとして、有害物質を検出する有害物質検出手段と、有害物質が所定値以上検出された際に警告し、換気を促すとともに必要な換気量の目安を知らせる警告警報手段とを備えた家屋が知られている（例えば、特許文献１参照）。
【０００６】
以下、その家屋について図１７を参照しながら説明する。
【０００７】
図に示すように、少なくとも家屋１０１の内部の１箇所に有害物質を検出する有害物質検出手段１０２と、前記有害物質検出手段１０２からの検出信号により警告し、換気を促すとともに必要な換気量の目安を知らせる警告警報手段１０３を備えることにより、有害物質が検出された際には、居住者に警告し、換気を促すとともに必要な換気量の目安を知らせることを示している。
【特許文献１】特開平１１−６６４５９号公報
【発明の開示】
【発明が解決しようとする課題】
【０００８】
このような従来の方法では居住者が外出等の為にその場にいない状態で有害物質を検出した際は換気されることがない。従って居住者が帰宅した際に高濃度の有害物質に晒される可能性がある為、居住者に安全に、健康に過ごせる空間を提供するのに十分ではないという課題があり、居住者の在、不在に関わらず有害物質を検出した際には換気送風装置の換気送風運転を行うこと、また、換気送風装置の換気送風運転状態および空気汚染度合いを報知および注意を促すことが要求されている。
【０００９】
本発明は、このような従来の課題を解決するものであり、有害物質を検出した際には換気送風装置を自動で換気送風運転すること、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供することを目的としている。
【００１０】
また、所定値以上の有害物質を検出した際には、警告し、換気を促し、必要換気量の目安を知らせる方法では、有害物質の排出および除去を行うために居住者が換気送風装置を換気送風運転させる、または窓を開ける等の操作が必要であり、居住者に安全に、健康に過ごせる空間を提供するのに十分といえないという課題があり、必要換気回数または必要換気量以上の換気送風運転を行い、一刻も早く有害物質の排出および除去すること、また、換気送風装置の換気送風運転状態および空気汚染度合いを報知および注意を促すことが要求される。
【００１１】
本発明は、このような従来の課題を解決するものであり、有害物質が所定値以上検出された際には、必要換気回数または必要換気量以上の換気送風運転を行って、一刻も早く有害物質を排出および除去すること、また、換気送風装置の換気送風運転状態を報知および空気汚染度合いを報知および注意を促すことにより、居住者に換気送風装置の換気送風運転状態および空気汚染度合いの把握と、安全に、健康に過ごせる空間を提供することを目的としている。
【００１２】
また、有害物質の発生箇所との関連性が低い場所に設置している換気送風装置を換気送風運転しても、一刻も早く且つ効率よく有害物質を排出および除去するためには不十分という課題があり、有害物質を検出した箇所または一番近い箇所に設置している換気送風装置について必要換気回数または必要換気量以上の換気送風運転を行って、一刻も早く且つ効率よく有害物質を排出および除去すること、また、換気送風装置の換気送風運転状態および空気汚染度合いを報知および注意を促すことが要求される。
【００１３】
本発明は、このような従来の課題を解決するものであり、有害物質を検出した箇所または一番近い箇所に設置している換気送風装置について必要換気回数または必要換気量以上の換気送風運転を行って、一刻も早く且つ効率よく有害物質を排出および除去すること、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供することを目的としている。
【課題を解決するための手段】
【００１４】
本発明の屋内空気の換気送風を行う換気送風装置は上記目的を達成するために、換気送風装置本体あるいは換気送風装置外部の少なくとも１箇所に、有害物質を検出する有害物質検出手段を備え、前記有害物質検出手段による有害物質の検出値に基づき必要換気回数を演算および判定する必要換気回数演算判定手段と、前記必要換気回数演算判定手段の結果に応じて換気送風運転を行い、また予め決められた報知事項を報知する報知手段を備えた構成としたものである。
【００１５】
この手段により有害物質の検出量または室内濃度または体積濃度または発散速度等の検出値に応じて換気送風装置を自動で換気送風運転することができ、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００１６】
また、本発明の屋内空気の換気送風を行う換気送風装置は上記目的を達成するために、必要換気回数演算判定手段のかわりに必要換気量を演算および判定する必要換気量演算判定手段を備えた構成としたものである。
【００１７】
この手段により有害物質の検出量または室内濃度または体積濃度または発散速度等の検出値に応じて換気送風装置を自動で換気送風運転することができ、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００１８】
さらに、本発明の屋内空気の換気送風を行う換気送風装置は上記目的を達成するために、必要換気回数演算判定手段または必要換気量演算判定手段の結果に応じて換気送風装置の換気風量を制御する風量制御手段を備えた構成としたものである。
【００１９】
この手段により有害物質の検出量または室内濃度または体積濃度または発散速度等の検出値に応じて必要換気回数または必要換気量以上の換気送風運転を行って、一刻も早く有害物質を排出および除去することができ、また、換気送風運転時のエネルギー消費を抑えることができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００２０】
また、本発明の屋内空気の換気送風を行う換気送風装置は上記目的を達成するために、有害物質検出手段で検出する有害物質の検出値に基づき建材の種別を判定する建材判定手段を備え、建材判定手段により必要換気回数または必要換気量を演算および判定することを特徴としたものである。
【００２１】
この手段により有害物質の検出量または室内濃度または体積濃度または発散速度等の検出値に応じて建材の種別が判定でき、また、必要換気回数または必要換気量以上の換気送風運転を行って、一刻も早く有害物質を排出および除去することができ、さらに、換気送風装置の運転状態および空気汚染度合いを報知および注意を促すことにより、居住者に換気送風装置の換気送風運転状態および空気汚染度合いの把握と、安全に、健康に過ごせる空間を提供できる。
【００２２】
さらに、本発明の屋内空気の換気送風を行う換気送風装置は上記目的を達成するために、有害物質検出手段で検出する物質がホルムアルデヒドであることを特徴としたものである。
【００２３】
この手段によりホルムアルデヒドの検出量または室内濃度または体積濃度または発散速度等の検出値に応じて建材の種別が判定でき、また、必要換気回数または必要換気量以上の換気送風運転を行って、一刻も早くホルムアルデヒドを排出および除去することができ、さらに、換気送風装置の運転状態および空気汚染度合いを報知および注意を促すことにより、居住者に換気送風装置の換気送風運転状態および空気汚染度合いの把握と、安全に、健康に過ごせる空間を提供できる。
【００２４】
また、本発明の屋内空気の換気送風を行う換気送風装置は上記目的を達成するために、有害物質検出手段で検出する物質がクロルピリホスであることを特徴としたものである。
この手段によりクロルピリホスを所定値以上検出した際には、使用が禁止されている建材であり、また、換気しても効果がない物質であるため、その旨の報知および業者への連絡を促すことにより、居住者に空気汚染度合いの把握と、安全に、健康に過ごせる空間を提供できる。
【００２５】
さらに、本発明の屋内空気の換気送風を行う換気送風装置は上記目的を達成するために、有害物質検出手段を屋内の居室以外の天井裏、小屋裏、床裏、物置に備えたことを特徴としたものである。
【００２６】
この手段により屋内の居室以外からの有害物質の漏洩を検出することができ、また、必要換気回数または必要換気量以上の換気送風運転を行って、一刻も早く有害物質を排出および除去することができ、屋内の居室以外からの有害物質の漏洩の防止、さらに、換気送風装置の運転状態および空気汚染度合いを報知および注意を促すことにより、居住者に換気送風装置の換気送風運転状態および空気汚染度合いの把握と、安全に、健康に過ごせる空間を提供できる。
【００２７】
また、本発明の屋内空気の換気送風を行う換気送風装置は上記目的を達成するために、居室内および屋内の居室以外のそれぞれに少なくとも１箇所以上、有害物質を検出する有害物質検出手段を備え、有害物質の検出箇所に対応した換気送風装置を制御する換気送風装置集中制御手段を備え、前記換気送風装置集中制御手段は前記有害物質検出手段から検出箇所を判定する検出箇所判定手段と前記検出箇所判定手段から必要換気回数または必要換気量を演算および判定する必要換気回数演算判定手段または必要換気量演算判定手段で構成されたものである。
【００２８】
この手段により有害物質を検出した箇所または一番近い箇所に設置している換気送風装置について必要換気回数または必要換気量以上の換気送風運転を行って、一刻も早く且つ効率よく有害物質を排出および除去すること、また、換気送風装置の運転状態および空気汚染度合いを報知および注意を促すことにより、居住者に換気送風装置の換気送風運転状態および空気汚染度合いの把握と、安全に、健康に過ごせる空間を提供できる。
【００２９】
さらに、本発明の屋内空気の換気送風を行う換気送風装置は上記目的を達成するために、湿度を検出する湿度検出手段を備えた構成としたものである。
【００３０】
この手段により湿度および有害物質の検出量または室内濃度または体積濃度または発散速度等の検出値に応じて換気送風装置を自動で換気送風運転することができ、また、換気送風装置の換気送風運転状態および空気汚染度合い、湿度情報を報知および注意を促すことにより、居住者に換気送風装置の換気送風運転状態および空気汚染度合い、湿度の把握と、安全に、健康に過ごせる空間を提供できる。
【００３１】
また、本発明の屋内空気の換気送風を行う換気送風装置は上記目的を達成するために、有害物質検出手段のかわりに湿度を検出する湿度検出手段を備えた構成としたものである。
【００３２】
この手段により湿度に応じて換気送風装置を自動で換気送風運転することができ、また、換気送風装置の換気送風運転状態および湿度情報を報知および注意を促すことにより、居住者に換気送風装置の換気送風運転状態および湿度の把握と、安全に、健康に過ごせる空間を提供できる。
【発明の効果】
【００３３】
本発明によれば、有害物質の検出量または室内濃度または体積濃度または発散速度等の検出値に応じて必要換気回数を演算および判定を行い、換気送風装置を自動で換気送風運転し、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００３４】
また、有害物質の検出量または室内濃度または体積濃度または発散速度等の検出値に応じて必要換気量を演算および判定を行い、換気送風装置を自動で換気送風運転し、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００３５】
さらに、有害物質の検出量または室内濃度または体積濃度または発散速度等の検出値に応じて風量制御手段により、必要換気回数または必要換気量以上の換気送風運転を行って、一刻も早く有害物質を排出および除去することができ、また、換気送風運転時のエネルギー消費を抑えることができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００３６】
また、有害物質の検出量または室内濃度または体積濃度または発散速度等の検出値に応じて建材の種別が判定でき、また、必要換気回数または必要換気量以上の換気送風運転を行って、一刻も早く有害物質を排出および除去することができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００３７】
さらに、ホルムアルデヒドの検出量または室内濃度または体積濃度または発散速度等の検出値に応じて建材の種別が判定でき、また、必要換気回数または必要換気量以上の換気送風運転を行って、一刻も早くホルムアルデヒドを排出および除去することができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００３８】
また、クロルピリホスを所定値以上検出した際には、使用が禁止されている建材であり、また、換気しても効果がない物質であるため、その旨の報知および業者への連絡を促すことにより、居住者に空気汚染度合いの把握と、安全に、健康に過ごせる空間を提供できる。
【００３９】
さらに、屋内の居室以外からの有害物質の漏洩を検出することができ、また、必要換気回数または必要換気量以上の換気送風運転を行って、一刻も早く有害物質を排出および除去することができ、屋内の居室以外からの有害物質の漏洩の防止、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００４０】
また、有害物質を検出箇所および検出箇所に一番近い箇所に設置している換気送風装置が判定でき、検出した箇所に一番近い箇所に設置している換気送風装置について必要換気回数または必要換気量以上の換気送風運転を行って、一刻も早く且つ効率よく有害物質を排出および除去すること、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００４１】
さらに、湿度および有害物質の検出量または室内濃度または体積濃度または発散速度等の検出値に応じて換気送風装置を自動で換気送風運転することができ、また、換気送風装置の換気送風運転状態および空気汚染度合い、湿度情報を報知および注意を促すことにより、居住者に換気送風装置の換気送風運転状態および空気汚染度合い、湿度の把握と、安全に、健康に過ごせる空間を提供できる。
【００４２】
また、湿度に応じて換気送風装置を自動で換気送風運転することができ、また、換気送風装置の換気送風運転状態および湿度情報を報知および注意を促すことにより、居住者に換気送風装置の換気送風運転状態および湿度の把握と、安全に、健康に過ごせる空間を提供できる。
【発明を実施するための最良の形態】
【００４３】
本発明の請求項１記載の発明は、屋内空気の換気送風を行う換気送風装置本体あるいは外部の少なくとも１箇所に、有害物質を検出する有害物質検出手段を備え、前記有害物質検出手段による有害物質の検出値に基づき必要換気回数を演算および判定する必要換気回数演算判定手段と、前記必要換気回数演算判定手段の結果に応じて換気送風運転を行い、また予め決められた報知事項を報知する報知手段を備えた換気送風装置としたものであり、有害物質の検出量または室内濃度または体積濃度または発散速度等の検出値に応じて必要換気回数を演算および判定を行い、換気送風装置を自動で換気送風運転し、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００４４】
また、必要換気回数演算判定手段のかわりに必要換気量を演算および判定する必要換気量演算判定手段を備えたものであり、前記有害物質検出手段による有害物質の検出値に基づき必要換気量を演算および判定を行い、換気送風装置を自動で換気送風運転し、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００４５】
さらに、必要換気回数演算判定手段または必要換気量演算判定手段の結果に応じて換気送風装置の換気風量を制御する風量制御手段を備えたものであり、前記有害物質検出手段による有害物質の検出値に基づき換気風量制御手段により、必要換気回数または必要換気量以上の換気送風運転を行って、一刻も早く有害物質を排出および除去することができ、また、換気送風運転時のエネルギー消費を抑えることができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００４６】
また、有害物質検出手段により検出する有害物質の検出値に基づき建材の種別を判定する建材判定手段を備え、建材判定手段により必要換気回数または必要換気量を演算および判定することを特徴としたものであり、有害物質の検出量または室内濃度または体積濃度または発散速度等の検出値に応じて建材の種別が判定でき、また、必要換気回数または必要換気量以上の換気送風運転を行って、一刻も早く有害物質を排出および除去することができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００４７】
さらに、有害物質検出手段で検出する物質がホルムアルデヒドであることを特徴としたものであり、ホルムアルデヒドの検出値に基づき建材の種別が判定でき、また、必要換気回数または必要換気量以上の換気送風運転を行って、一刻も早くホルムアルデヒドを排出および除去することができ、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００４８】
また、有害物質検出手段で検出する物質がクロルピリホスであることを特徴としたものであり、クロルピリホスを所定値以上検出した際には、使用が禁止されている建材であり、また、換気しても効果がない物質であるため、その旨の報知および業者への連絡を促すことにより、居住者に空気汚染度合いの把握と、安全に、健康に過ごせる空間を提供できるという作用を有する。
【００４９】
さらに、有害物質検出手段を屋内の居室以外の天井裏、小屋裏、床裏、物置に備えたことを特徴としたものであり、屋内の居室以外からの有害物質の漏洩を検出することができ、また、必要換気回数または必要換気量以上の換気送風運転を行って、一刻も早く有害物質を排出および除去することができ、屋内の居室以外からの有害物質の漏洩の防止、さらに、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００５０】
また、居室内および屋内の居室以外のそれぞれに少なくとも１箇所以上、有害物質を検出する有害物質検出手段を備え、有害物質の検出箇所に対応した換気送風装置を制御する換気送風装置集中制御手段を備え、前記換気送風装置集中制御手段は前記有害物質検出手段から検出箇所を判定する検出箇所判定手段と前記検出箇所判定手段から必要換気回数または必要換気量を演算および判定する必要換気回数演算判定手段または必要換気量演算判定手段で構成されることを特徴としたものであり、前記検出箇所判定手段により有害物質を検出箇所および検出箇所に一番近い箇所に設置している換気送風装置が判定でき、検出箇所に一番近い箇所に設置している換気送風装置について必要換気回数または必要換気量以上の換気送風運転を行って、一刻も早く且つ効率よく有害物質を排出および除去すること、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できるという作用を有する。
【００５１】
さらに、湿度を検出する湿度検出手段を備えたことを特徴としたものであり、湿度および有害物質の検出値に基づき換気送風装置を自動で換気送風運転することができ、また、換気送風装置の換気送風運転状態および空気汚染度合い、湿度情報を報知および注意を促すことにより、居住者に換気送風装置の換気送風運転状態および空気汚染度合い、湿度の把握と、安全に、健康に過ごせる空間を提供できるという作用を有する。
【００５２】
また、有害物質検出手段のかわりに湿度を検出する湿度検出手段を備えたことを特徴としたものであり、湿度に応じて換気送風装置を自動で換気送風運転することができ、また、換気送風装置の換気送風運転状態および湿度情報を報知および注意を促すことにより、居住者に換気送風装置の換気送風運転状態および湿度の把握と、安全に、健康に過ごせる空間を提供できるという作用を有する。
【００５３】
以下、本発明の実施の形態について図面を参照しながら説明する。
【００５４】
（実施の形態１）
本発明の実施の形態１の屋内空気の換気送風を行う換気送風装置１について、図１、図２、図３、図４、図５を参照しながら説明する。図１に示すように換気送風装置１は有害物質を検出する有害物質検出手段２を備え、有害物質の検出量または室内濃度または体積濃度または発散速度等の検出値に応じて必要換気回数を演算および判定する必要換気回数演算判定手段３と、前記必要換気回数演算判定手段３の結果に応じて換気送風運転を行い、また予め決められた報知事項を報知する報知手段４とにより構成されている。
【００５５】
屋内空気とはビルや戸建住宅等の建物内の所定空間の空気をいう。
【００５６】
屋内空気は、電動機１ａによって回転する送風手段である送風機１ｂによって、集塵手段であるフィルタ１ｃにより塵埃を除去された後、換気送風装置１の内部に吸い込まれ、送風機１ｂを通過し、換気送風装置１が換気送風運転中は開かれている開閉手段であるダンパ１ｄを通過し、排気路であるダクト１ｅを通過して、室外へ排出される。
【００５７】
また、換気送風装置１の換気送風運転制御などを行う電装部１ｆには、有害物質検出手段２により検出した有害物質の検出量または室内濃度または体積濃度または発散速度等の検出値に基づき必要換気回数を演算および判定する前記必要換気回数演算判定手段３と、前記必要換気回数演算判定手段３の結果に応じて予め決められた報知事項を居住者に報知する報知手段４とが接続されている。
【００５８】
有害物質検出手段２は、例えば、酸化物半導体を利用したものや、導電性ポリマーを用いたＶＯＣセンサ、試験紙光電光度法、検知管法、定電位電解式のホルムアルデヒドセンサなどである。
【００５９】
また、有害物質検出手段２により出力される情報は有害物質の質量を示す検出量（μｇ）、前記検出量を建材の使用面積と検出時間の積で除算した発散速度（μｇ／ｍ2・ｈ）、前記検出量を室内容積で除算した室内濃度（μｇ／ｍ3）、前記室内濃度を理想気体の状態方程式等を用いて換算した体積濃度（ｐｐｍ）等である。括弧内は代表的な単位を記述したものである。
【００６０】
有害物質検出手段２により出力される情報が検出量で、他の情報、例えば、室内濃度に換算する必要がある場合、図２のように有害物質検出手段２と必要換気回数演算判定手段３の間に換算手段５が必要となる。換算手段５の演算フローチャートについて図３を参照しながら説明する。
【００６１】
換算手段５は、有害物質検出手段２により検出された検出量情報を入力する。次に、予め設定、記憶しておいた換気送風を行う空間の体積を読み出し、入力する。前記検出量を前記体積で除算することにより、検出量から室内濃度への換算演算を行う。
【００６２】
必要換気回数演算判定手段３は、例えば、電装部１ｆに実装されているマイコンにて行われる処理である。また、必要換気回数は、必要換気回数をＮ（回／ｈ）、有害物質の室内濃度をＵ（μｇ／ｍ3）、有害物質の検出時間をＴ（ｈ）、基準濃度をＫ（μｇ／ｍ3）とおいて、ＵをＴとＫを乗算したもので除算することでＮを求めている。基準濃度は厚生労働省のガイドラインに定められているホルムアルデヒドの室内濃度指針値で１００μｇ／ｍ3とおいている。
【００６３】
次に、換気送風装置１の換気送風運転選択、必要換気回数演算判定手段３の判定内容および報知手段４の報知内容の選択について、図４のフローチャートを参照しながら説明する。まず、第１ステップにおいて有害物質検出手段２により検出された有害物質であるホルムアルデヒドの室内濃度がＡμｇ／ｍ3、例えば世界保健機構や厚生労働省等でホルムアルデヒドの濃度と人体への影響について目、鼻、喉に刺激を感じないレベルとされている３７μｇ／ｍ3（≒０．０３ｐｐｍ）以下である場合には、安全に、健康に過ごせる空間であると判定して換気送風装置１を改正建基法に規定されている換気回数０．５回／ｈにて自動換気送風運転を行う。また、この時、安全に、健康に過ごせる空間であることを示す状態α、例えば「クリーン状態」を居住者に報知手段４を用いて報知する。また、第２ステップにおいて有害物質検出手段２により検出されたホルムアルデヒドの室内濃度がＢμｇ／ｍ3、例えば世界保健機構や厚生労働省等でホルムアルデヒドの濃度と人体への影響についてかすかに臭いを感じるレベルとされている１００μｇ／ｍ3（≒０．０８ｐｐｍ）以下である場合には、程度は軽いが有害物質を検出した空間が汚染されていると判定して換気送風装置１を演算された必要換気回数Ｎを満足する換気回数イ回／ｈ、例えば換気回数１．０回／ｈの弱換気送風運転にて前記状態αの条件である３７μｇ／ｍ3（≒０．０３ｐｐｍ）以下を満たすまで換気送風運転を行う。また、この時、有害物質を検出した空間が程度は軽いが汚染されていることを示す状態β、例えば「空気汚染度低状態」を居住者に報知手段４を用いて報知する。さらに、第３ステップにおいて有害物質検出手段２により検出されたホルムアルデヒドの室内濃度がＣμｇ／ｍ3、例えば世界保健機構や厚生労働省等でホルムアルデヒドの濃度と人体への影響について目への刺激が始まるレベルとされている３７０μｇ／ｍ3（≒０．３ｐｐｍ）以下である場合には、有害物質を検出した空間が前記状態β以上に汚染されていると判定して換気送風装置１を演算された必要換気回数Ｎを満足する換気回数ロ回／ｈ、例えば換気回数３．７回／ｈの強換気送風運転にて前記状態αの条件である３７μｇ／ｍ3（≒０．０３ｐｐｍ）以下を満たすまで換気送風運転を行う。また、この時、有害物質を検出した空間が前記状態β以上に汚染されていることを示す状態γ、例えば「空気汚染度高状態」を居住者に報知手段４を用いて報知する。それ以外の場合には、有害物質を検出した空間が前記状態γ以上に汚染されていると判定して換気送風装置１の能力限界にて前記状態αの条件である３７μｇ／ｍ3（≒０．０３ｐｐｍ）以下を満たすまで換気送風運転を行う。また、この時、有害物質を検出した空間が前記状態γ以上に汚染されていることを示す状態δ、例えば「空気汚染度危険状態」を居住者に報知手段４を用いて報知する。
【００６４】
図５に報知手段４の表示例を示す。報知手段４は、換気送風装置１の換気送風運転切替および換気風量などの設定を行う押しボタンスイッチである設定部４ａと、換気送風装置１の換気送風運転状態や空気汚染度などの表示を発光ダイオードの点灯、点滅、消灯等により行う表示部４ｂと、居住者に対する注意、警報をブザーなどにより行う音声発生部４ｃとを備えている。
【００６５】
設定部４ａは、換気送風装置１の換気送風運転を停止、または電源を遮断する「切スイッチ」、居住者が手動で風量設定を行い、換気送風装置１の換気送風運転を行う「手動スイッチ」、有害物質の検出値に基づき換気送風装置１の自動換気送風運転を有効にする「自動スイッチ」、手動換気送風運転時に「↓スイッチ」、「↑スイッチ」の押下回数に応じて換気風量を増減し、風量設定を有効にする「風量設定スイッチ」からなる。
【００６６】
表示部４ｂは、換気送風装置１の換気送風運転のＯＮ、ＯＦＦを示す「運転」、手動換気送風運転、自動換気送風運転を示す「自動」、換気風量の大きさを示す「ＭＡＸ」、「強」、「弱」、有害物質の検出値に基づき空気汚染度を示す「危険」、「高」、「低」、「クリーン」を換気送風運転設定や換気送風運転状態等に応じて各々に対応した発光ダイオードの点灯、点滅、消灯により示す。例えば、換気送風運転がＯＮで自動換気送風運転が有効、空気汚染度が低く、換気風量が低い場合には「運転」、「自動」、「低」、「弱」を点灯させることで居住者に換気送風運転状態や空気汚染度を報知する。
【００６７】
音声発生部４ｃは、居住者に対して注意が必要な場合、例えば前記空気汚染度が「危険」である場合には、前記表示部４ｂにて「危険」の点灯表示を行うとともに、ブザーの鳴動や音声メッセージなどにより居住者に注意を促す。
【００６８】
上記構成において、有害物質検出手段２により、有害物質の検出量または室内濃度または体積濃度または発散速度等の検出値を出力し、前記有害物質検出手段２による有害物質の検出値に基づき必要換気回数演算判定手段３により、必要換気回数を演算および判定を行い、換気送風装置を自動で換気送風運転し、報知手段４により、居住者に換気送風装置の換気送風運転状態および空気汚染度合いを報知および注意を促すことになる。
【００６９】
なお、換気送風装置１は、換気送風装置の種類や構造は限定されず、例えばパイプファン、同時給排や熱交換を行うものなどであってもよく、その作用効果に差異を生じない。
【００７０】
なお、実施の形態１では、有害物質の検出量または室内濃度または体積濃度または発散速度等の検出値により必要換気回数を演算および判定する必要換気回数演算判定手段３を用いたが、図６に示すように、必要換気回数演算判定手段３にかえて必要換気量を演算および判定する必要換気量演算判定手段６を用いてもよく、その作用効果に差異を生じない。また、必要換気量は、必要換気回数と換気送風を行う空間の体積を乗算したものであり、必要換気量をＱ（ｍ3／ｈ）、有害物質の室内濃度をＵ（μｇ／ｍ3）、換気送風を行う空間の体積をＬ（ｍ3）、有害物質の検出時間をＴ（ｈ）、基準濃度をＫ（μｇ／ｍ3）とおいて、ＵとＬを乗算したものをＴとＫで乗算したもので除算することでＱが求まる。基準濃度は厚生労働省のガイドラインに定められているホルムアルデヒドの室内濃度指針値で１００μｇ／ｍ3とおいている。換気送風装置１の換気送風運転選択、報知内容選択のフローチャートについて図７のフローチャートを参照しながら説明する。なお、換気送風を行う空間の体積を５０（ｍ3）とする。まず、第１ステップにおいて有害物質検出手段２により検出された有害物質であるホルムアルデヒドの室内濃度がＡμｇ／ｍ3、例えば世界保健機構や厚生労働省等でホルムアルデヒドの濃度と人体への影響について目、鼻、喉に刺激を感じないレベルとされている３７μｇ／ｍ3（≒０．０３ｐｐｍ）以下である場合には、安全に、健康に過ごせる空間であると判定して換気送風装置１を改正建基法に規定されている換気量２５ｍ3／ｈ（＝換気回数０．５回／ｈ）にて自動換気送風運転を行う。また、この時、安全に、健康に過ごせる空間であることを示す状態α、例えば「クリーン状態」を居住者に報知手段４を用いて報知する。また、第２ステップにおいて有害物質検出手段２により検出されたホルムアルデヒドの室内濃度がＢμｇ／ｍ3、例えば世界保健機構や厚生労働省等でホルムアルデヒドの濃度と人体への影響についてかすかに臭いを感じるレベルとされている１００μｇ／ｍ3（≒０．０８ｐｐｍ）以下である場合には、程度は軽いが有害物質を検出した空間が汚染されていると判定して換気送風装置１を演算された必要換気量Ｑを満足する換気量ハｍ3／ｈ、例えば換気量５０ｍ3／ｈの弱換気送風運転にて前記状態αの条件である３７μｇ／ｍ3（≒０．０３ｐｐｍ）以下を満たすまで換気送風運転を行う。また、この時、有害物質を検出した空間が程度は軽いが汚染されていることを示す状態β、例えば「空気汚染度低状態」を居住者に報知手段４を用いて報知する。さらに、第３ステップにおいて有害物質検出手段２により検出されたホルムアルデヒドの室内濃度がＣμｇ／ｍ3、例えば世界保健機構や厚生労働省等でホルムアルデヒドの濃度と人体への影響について目への刺激が始まるレベルとされている３７０μｇ／ｍ3（≒０．３ｐｐｍ）以下である場合には、有害物質を検出した空間が前記状態β以上に汚染されていると判定して換気送風装置１を演算された必要換気量Ｑを満足する換気量ニｍ3／ｈ、例えば換気量１８５ｍ3／ｈの強換気送風運転にて前記状態αの条件である３７μｇ／ｍ3（≒０．０３ｐｐｍ）以下を満たすまで換気送風運転を行う。また、この時、有害物質を検出した空間が前記状態β以上���汚染されていることを示す状態γ、例えば「空気汚染度高状態」を居住者に報知手段４を用いて報知する。それ以外の場合には、有害物質を検出した空間が前記状態γ以上に汚染されていると判定して換気送風装置１の能力限界にて前記状態αの条件である３７μｇ／ｍ3（≒０．０３ｐｐｍ）以下を満たすまで換気送風運転を行う。また、この時、有害物質を検出した空間が前記状態γ以上に汚染されていることを示す状態δ、例えば「空気汚染度危険状態」を居住者に報知手段４を用いて報知する。
【００７１】
なお、実施の形態１では、有害物質検出手段２の出力情報が有害物質であるホルムアルデヒドの検出量で、必要換気回数演算判定手段３での判定条件が有害物質であるホルムアルデヒドの室内濃度による例であり、換算手段５は有害物質の検出量から室内濃度への換算を行ったが、必要換気回数演算判定手段３での判定条件に合致した換算手段を用いればよく、その作用効果に差異を生じない。
【００７２】
なお、実施の形態１では、換算手段５にて有害物質の検出量から有害物質の室内濃度に換算を行う際に用いた換気送風を行う空間の体積については、外部から入力するように構成し、外部入力により換気送風を行う空間の体積を入力する構成であっても、また、換気送風を行う空間の体積が予め明確な場合に記憶装置、例えばＲＯＭなどに換気送風を行う空間の体積を記憶させ、換算時に前記ＲＯＭから換気送風を行う空間の体積を得る構成であっても、換気送風を行う空間の体積情報の取得方法は限定されず、その作用効果に差異を生じない。
【００７３】
なお、実施の形態１では、有害物質の室内濃度により必要換気回数を演算および判定を行ったが、有害物質の室内濃度にかえて有害物質の検出量または体積濃度または発散速度等の検出値を用いてもよく、その作用効果に差異を生じない。有害物質の検出量にて必要換気回数を演算および判定を行った際の、換気送風装置１の換気送風運転選択、報知内容選択のフローチャートについて図８のフローチャートを参照しながら説明する。なお、換気送風を行う空間の体積を５０（ｍ3）とする。有害物質の体積濃度、あるいは発散速度にて必要換気回数を演算および判定を行った場合については図４、図７、図８のフローチャートと同様である為、詳細な説明は省略する。まず、第１ステップにおいて有害物質検出手段２により検出された有害物質であるホルムアルデヒドの検出量がＤｍｇ、例えば世界保健機構や厚生労働省等でホルムアルデヒドの濃度と人体への影響について目、鼻、喉に刺激を感じないレベルとされている１．８５ｍｇ（≒０．０３ｐｐｍ）以下である場合には、安全に、健康に過ごせる空間であると判定して換気送風装置１を改正建基法に規定されている換気回数０．５回／ｈにて自動換気送風運転を行う。また、この時、安全に、健康に過ごせる空間であることを示す状態α、例えば「クリーン状態」を居住者に報知手段４を用いて報知する。また、第２ステップにおいて有害物質検出手段２により検出されたホルムアルデヒドの検出量がＥｍｇ、例えば世界保健機構や厚生労働省等でホルムアルデヒドの濃度と人体への影響についてかすかに臭いを感じるレベルとされている５ｍｇ（≒０．０８ｐｐｍ）以下である場合には、程度は軽いが有害物質を検出した空間が汚染されていると判定して換気送風装置１を演算された必要換気回数Ｎを満足する換気回数イ回／ｈ、例えば換気回数１．０回／ｈの弱換気送風運転にて前記状態αの条件である１．８５ｍｇ（≒０．０３ｐｐｍ）以下を満たすまで換気送風運転を行う。また、この時、有害物質を検出した空間が程度は軽いが汚染されていることを示す状態β、例えば「空気汚染度低状態」を居住者に報知手段４を用いて報知する。さらに、第３ステップにおいて有害物質検出手段２により検出されたホルムアルデヒドの検出量がＦｍｇ、例えば世界保健機構や厚生労働省等でホルムアルデヒドの濃度と人体への影響について目への刺激が始まるレベルとされている１８．５ｍｇ（≒０．３ｐｐｍ）以下である場合には、有害物質を検出した空間が前記状態β以上に汚染されていると判定して換気送風装置１を演算された必要換気回数Ｎを満足する換気回数ロ回／ｈ、例えば換気回数３．７回／ｈの強換気送風運転にて前記状態αの条件である１．８５ｍｇ（≒０．０３ｐｐｍ）以下を満たすまで換気送風運転を行う。また、この時、有害物質を検出した空間が前記状態β以上に汚染されていることを示す状態γ、例えば「空気汚染度高状態」を居住者に報知手段４を用いて報知する。それ以外の場合には、有害物質を検出した空間が前記状態γ以上に汚染されていると判定して換気送風装置１の能力限界にて前記状態αの条件である１．８５ｍｇ（≒０．０３ｐｐｍ）以下を満たすまで換気送風運転を行う。また、この時、有害物質を検出した空間が前記状態γ以上に汚染されていることを示す状態δ、例えば「空気汚染度危険状態」を居住者に報知手段４を用いて報知する。
【００７４】
なお、実施の形態１では、検出する有害物質をホルムアルデヒドとしたが、検出対象の濃度の多少により人体への影響がある物質、例えば、酸素、二酸化炭素、一酸化炭素、さらにはトルエン、キシレン、パラジクロロベンゼン、エチルベンゼン、スチレン、クロルピリホス、フタル酸ジ―ｎ―ブチル等の揮発性有機化合物であり、検出対象および検出する物質の数に特定されず、その作用効果に差異を生じない。
【００７５】
なお、必要換気回数演算判定手段３で行う必要換気回数の演算は、検出対象の物質、法令で定められた値や関係式に応じて対応すればよく、演算式は限定されず、その作用効果に差異を生じない。
【００７６】
なお、報知手段４は、発光ダイオード、液晶画面や音声など文章による報知内容の直接的表現のほか、ランプの点灯・点滅やブザーによる警報など間接的表現であってもその作用効果に差異は生じない。
【００７７】
また、報知手段４は、換気送風装置１に内蔵され居室側の居住者に対して報知を行う構成であっても、換気送風装置１の外部に備えられた構成であっても、その作用効果に差異は生じない。
【００７８】
さらに、換気送風装置１および報知手段４は、無線方式による通信手段７を備え、報知手段４が外部に備えられた構成を図９に示す。
【００７９】
なお、通信手段７は有線であっても、電波による無線方式であっても、光など他の媒体を利用した無線方式であっても、通信手段７は限定されず、その作用効果に差異は生じない。
【００８０】
なお、報知手段４で風量の大きさを「ＭＡＸ」、「強」、「弱」の３段階で表現したが、レベル表示や数値表示など表現方法は限定されず、その作用効果に差異は生じない。
【００８１】
なお、実施の形態１では、有害物質検出手段２による有害物質の検出値を必要換気回数の演算および判定する為に用いたが、図１０に示すように、有害物質検出手段２にかえて湿度を検出するインピーダンス変化型の湿度センサや静電容量変化型の湿度センサなどによる湿度検出手段８を用いてもよく、その作用効果に差異は生じない。換気送風装置１の換気送風運転選択、報知内容選択のフローチャートについて図１１のフローチャートを参照しながら説明する。まず、第１ステップにおいて湿度検出手段８により検出された湿度がＧ％、例えば５５％以下である場合には、安全に、健康に過ごせる空間であると判定して換気送風装置１を改正建基法に規定されている換気回数０．５回／ｈにて自動換気送風運転を行う。また、この時、安全に、健康に過ごせる空間であることを示す状態ε、例えば「快適状態」を居住者に報知手段４を用いて報知する。また、第２ステップにおいて湿度検出手段８により検出された湿度がＨ％、例えば７５％以下である場合には、湿度を検出した空間が程度は軽いが湿気を帯びていると判定して換気送風装置１を演算された必要換気回数Ｎを満足するイ回／ｈ、例えば換気回数１．０回／ｈの弱換気送風運転にて前記状態εの条件である５５％以下を満たすまで換気送風運転を行う。また、この時、湿度を検出した空間が程度は軽いが湿気を帯びていることを示す状態ζ、例えば「湿度注意低状態」を居住者に報知手段４を用いて報知する。さらに、第３ステップにおいて湿度検出手段８により検出された湿度がＩ％、例えば８５％以下である場合には、湿度を検出した空間が前記状態ζ以上に湿気を帯びていると判定して換気送風装置１を演算された必要換気回数Ｎを満足する換気回数ロ回／ｈ、例えば換気回数３．７回／ｈの強換気送風運転にて前記状態εの条件である５５％以下を満たすまで換気送風運転を行う。また、この時、湿度を検出した空間が前記状態ζ以上に湿気を帯びていることを示す状態η、例えば「湿度注意高状態」を居住者に報知手段４を用いて報知する。それ以外の場合には、湿度を検出した空間が前記状態η以上に汚染されていると判定して換気送風装置１の能力限界にて前記状態εの条件である５５％以下を満たすまで換気送風運転を行う。また、この時、湿度を検出した空間が前記状態η以上に湿気を帯びていることを示す状態θ、例えば「結露状態」を居住者に報知手段４を用いて報知する。
【００８２】
このように本発明の実施の形態１の換気送風装置によれば、有害物質の検出量または室内濃度または体積濃度または発散速度等の検出値に応じて必要換気回数を演算および判定を行い、換気送風装置を自動で換気送風運転し、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００８３】
（実施の形態２）
次に、本発明の実施の形態２の屋内空気の換気送風を行う換気送風装置１について、図１２を参照しながら説明する。なお、上記実施の形態１の構成要素と同じ構成要素には、同一番号を付し、その詳細な説明は省略する。図に示すように、換気送風装置１は、必要換気回数演算判定手段３の結果に応じて、予め決められた報知事項を報知する報知手段４と、換気送風装置１の換気風量をファン用インバータなどにより無段階に制御する風量制御手段９とを備えている。
【００８４】
上記構成において、必要換気回数演算判定手段３により必要換気回数、すなわち必要な換気風量が決定されるので、前記風量制御手段９は必要な換気風量に応じて無段階に風量制御を行うこととなる。
【００８５】
なお、換気送風装置１は、換気送風装置の種類や構造は限定されず、例えばパイプファン、同時給排や熱交換を行うものなどであってもよく、その作用効果に差異を生じない。
【００８６】
なお、実施の形態２では、有害物質の検出量または室内濃度または体積濃度または発散速度等の検出値により必要換気回数を演算および判定する必要換気回数演算判定手段３を用いたが、必要換気回数演算判定手段３にかえて必要換気量を演算および判定する必要換気量演算判定手段６を用いてもよく、その作用効果に差異を生じない。
【００８７】
このように本発明の実施の形態２の屋内空気の換気送風を行う換気送風装置によれば、有害物質の検出値に基づき必要換気回数または必要換気量を演算および判定を行い、必要換気回数または必要換気量の演算および判定結果に応じて換気送風装置の換気風量を無段階に制御し、自動で換気送風運転し、また、換気送風装置の換気送風運転状態および空気汚染度合いを報知および注意を促すことにより、換気送風運転時のエネルギー消費を抑え、且つ、居住者に換気送風装置の換気送風運転状態および空気汚染度合いの把握と、安全に、健康に過ごせる空間を提供できる。
【００８８】
（実施の形態３）
次に、本発明の実施の形態３の屋内空気の換気送風を行う換気送風装置１について、図１３を参照しながら説明する。なお、上記実施の形態１の構成要素と同じ構成要素には、同一番号を付し、その詳細な説明は省略する。図に示すように、換気送風装置１は、有害物質検出手段２で検出する有害物質の検出値に基づき建材の種別を判定する建材判定手段１０を備えている。
【００８９】
前記建材判定手段１０は、例えば、電装部１ｆに実装されているマイコンにて行われる処理である。
【００９０】
上記構成において、前記建材判定手段１０により建材の種別を判定し、必要換気回数演算判定手段３または必要換気量演算判定手段６により、前記建材判定手段１０の判定結果に応じて必要換気回数または必要換気量を演算および判定することとなる。
【００９１】
なお、換気送風装置１は、換気送風装置の種類や構造は限定されず、例えばパイプファン、同時給排や熱交換を行うものなどであってもよく、その作用効果に差異を生じない。
【００９２】
なお、実施の形態３では、有害物質検出手段２で検出する有害物質の検出値に基づき建材の種別を判定する建材判定手段１０により必要換気回数を演算および判定する必要換気回数演算判定手段３を用いたが、必要換気回数演算判定手段３にかえて必要換気量を演算および判定する必要換気量演算判定手段６を用いてもよく、その作用効果に差異を生じない。
【００９３】
なお、建材の種別内容については、例えば改正建築基準法で使用制限の定められている第１種、第２種、第３種のホルムアルデヒド発散建築材料であっても種別内容に限定されず、その作用効果に差異を生じない。
【００９４】
なお、実施の形態３では、検出する有害物質について特定していないが、検出対象の濃度の多少により人体への影響がある物質、且つ、使用建材が判定できる物質であればよく、例えば、ホルムアルデヒド、クロルピリホス等の揮発性有機化合物であり、検出対象および検出する物質の数によらず、その作用効果に差異を生じない。
【００９５】
このように本発明の実施の形態３の屋内空気の換気送風を行う換気送風装置によれば、有害物質の検出量または室内濃度または体積濃度または発散速度等の検出値に応じて建材の種別判定し、建材の種別に応じて必要換気回数または必要換気量を演算および判定を行い、必要換気回数または必要換気量の演算および判定結果に応じて換気送風装置を自動で換気送風運転し、また、換気送風装置の換気送風運転状態および空気汚染度合いを報知および注意を促すことにより、居住者に換気送風装置の換気送風運転状態および空気汚染度合いの把握と、安全に、健康に過ごせる空間を提供できる。
【００９６】
（実施の形態４）
次に、本発明の実施の形態４の屋内空気の換気送風を行う換気送風装置１について、図１４を参照しながら説明する。なお、上記実施の形態１の構成要素と同じ構成要素には、同一番号を付し、その詳細な説明は省略する。図に示すように、換気送風装置１および有害物質検出手段２は、天井１１によって天井裏側１２と居室側１３に区切られた戸建住宅の天井裏に設置されている。また、居室側１３にいる居住者に対して換気装置の換気送風運転状態および空気汚染度合いを報知および注意を促す報知手段４を備えている。
【００９７】
上記構成により、居住者の普段目に届かない箇所からの有害物質の漏洩を防止することとなる。
【００９８】
なお、換気送風装置１は、換気送風装置の種類や構造は限定されず、例えばパイプファン、同時給排や熱交換を行うものなどであってもよく、その作用効果に差異を生じない。
【００９９】
なお、実施の形態４では、有害物質の検出量または室内濃度または体積濃度または発散速度等の検出値により必要換気回数を演算および判定する必要換気回数演算判定手段３を用いたが、必要換気回数演算判定手段３にかえて必要換気量を演算および判定する必要換気量演算判定手段６を用いてもよく、その作用効果に差異を生じない。
【０１００】
なお、実施の形態４では、屋内の居室以外に有害物質検出手段を備えた換気送風装置の一例として、天井裏の換気送風を行う換気送風装置を天井裏に設置したが、設置箇所に限定されず、居住者が普段目に届きにくい、また、手に届きにくい箇所である小屋裏、床裏、物置等であっても、その作用効果に差異を生じない。
【０１０１】
このように本発明の実施の形態４の屋内空気の換気送風を行う換気送風装置によれば、有害物質検出手段を屋内の居室以外に備え、必要換気回数または必要換気量の演算および判定結果に応じて換気送風装置を自動で換気送風運転し、また、換気送風装置の換気送風運転状態および空気汚染度合いを報知および注意を促すことにより、居住者が普段目に届きにくい、また、手に届きにくい箇所からの悪影響の排除を行うことで、居住者に換気送風装置の換気送風運転状態および空気汚染度合いの把握と、安全に、健康に過ごせる空間を提供できる。
【０１０２】
（実施の形態５）
次に、本発明の実施の形態５の屋内空気の換気送風を行う換気送風装置１ｇ、１ｈ、１ｉについて、図１５を参照しながら説明する。なお、上記実施の形態１の構成要素と同じ構成要素には、同一番号を付し、その詳細な説明は省略する。図に示すように、換気送風装置１ｇ、１ｈ、１ｉおよび有害物質検出手段２ａ、２ｂ、２ｃは、天井１１によって天井裏側１２と居室側１３に区切られ、また、床１４によって居室側１３と床下側１５とに区切られた戸建住宅のそれぞれ、天井裏、居室、床下に設置されている。また、有害物質の検出箇所に対応した前記換気送風装置１ｇ、１ｈ、１ｉを制御する換気送風装置集中制御手段１６を備え、前記換気送風装置集中制御手段１６は前記有害物質検出手段２ａ、２ｂ、２ｃから検出箇所を判定する検出箇所判定手段１７と前記検出箇所判定手段１７から必要換気回数を演算および判定する必要換気回数演算判定手段３で構成される。
【０１０３】
有害物質検出手段２ａ、２ｂ、２ｃによる有害物質の検出量または室内濃度または体積濃度または発散速度等の検出値情報と、検出箇所判定手段１７による検出箇所情報を入力として、必要換気回数演算判定手段３により、換気送風装置１ｇ、１ｈ、１ｉの各々の必要換気回数の演算および判定が行われる。
【０１０４】
上記構成により、換気送風装置１ｇ、１ｈ、１ｉは各々見合った必要換気回数または必要換気量を満たすよう換気送風運転を行うこととなる。なお、それぞれの箇所に設置されている換気送風装置１ｇ、１ｈ、１ｉの換気送風運転選択、報知内容選択のフローチャートについては、前述した実施の形態１の図４、図７、図８と同様である為、詳細な説明は省略する。
【０１０５】
なお、換気送風装置１は、換気送風装置の種類や構造は限定されず、例えばパイプファン、同時給排や熱交換を行うものなどであってもよく、その作用効果に差異を生じない。
【０１０６】
なお、実施の形態５では、有害物質の検出量または室内濃度または体積濃度または発散速度等の検出値により必要換気回数を演算および判定する必要換気回数演算判定手段３を用いたが、必要換気回数演算判定手段３にかえて必要換気量を演算および判定する必要換気量演算判定手段６を用いてもよく、その作用効果に差異を生じない。
【０１０７】
なお、実施の形態５では、有害物質検出手段２ａ、２ｂ、２ｃにより検出される有害物質の検出量または室内濃度または体積濃度または発散速度等の検出値を必要換気回数の演算および判定する為に用いたが、図１６に示すように、湿度を検出するインピーダンス変化型の湿度センサや静電容量変化型の湿度センサなどによる湿度検出手段８ａ、８ｂ、８ｃをそれぞれ、天井裏、居室、床下に追加し、湿度検出手段８ａ、８ｂ、８ｃからも必要換気回数の演算および判定を行い、両者の必要換気回数の演算および判定の結果、必要換気回数が高い方を採用して換気送風装置１ｇ、１ｈ、１ｉの換気送風運転を行う構成としてもよく、その作用効果に差異は生じない。
【０１０８】
なお、実施の形態５では、有害物質検出手段２により検出される有害物質の検出量または室内濃度または体積濃度または発散速度等の検出値を必要換気回数の演算および判定する為に用いたが、有害物質検出手段２にかえて湿度を検出するインピーダンス変化型の湿度センサや静電容量変化型の湿度センサなどによる湿度検出手段８を用いてもよく、その作用効果に差異は生じない。
【０１０９】
このように本発明の実施の形態５の屋内空気の換気送風を行う換気送風装置によれば、有害物質検出手段より検出箇所を判定し、検出箇所に対応した換気送風装置を必要換気回数または必要換気量の演算および判定結果に応じて自動で換気送風運転し、また、換気送風装置の換気送風運転状態および空気汚染度合いを報知および注意を促すことにより、効率のよい換気および換気送風運転時のエネルギー消費を抑え、且つ、居住者に換気送風装置の換気送風運転状態および空気汚染度合いの把握と、安全に、健康に過ごせる空間を提供できる。
【産業上の利用可能性】
【０１１０】
換気送風機能のある装置一般に適用でき、家庭用エアコンディショナ、自動車用エアコンディショナ、ビル用空調機、トンネル内のジェットファンなどの用途にも適用できる。
【図面の簡単な説明】
【０１１１】
【図１】本発明の実施の形態１の換気送風装置を示す構成図
【図２】同有害物質検出手段の出力換算を行う換算手段を追加した電装部を示す構成図
【図３】同換算手段の演算内容を示すフローチャート
【図４】同換気送風装置換気送風運転選択および報知内容選択フローチャート
【図５】同報知手段の表示および報知例を示す構成図
【図６】同必要換気回数演算判定手段にかえて必要換気量演算判定手段を用いた換気送風装置を示す構成図
【図７】同換気送風装置換気送風運転選択および報知内容選択フローチャート
【図８】同換気送風装置換気送風運転選択および報知内容選択フローチャート
【図９】同報知手段を外部に備えた換気送風装置を示す構成図
【図１０】同有害物質検出手段にかえて湿度検出手段を用いた換気送風装置を示す構成図
【図１１】同換気送風装置換気送風運転選択および報知内容選択フローチャート
【図１２】本発明の実施の形態２の換気送風装置を示す構成図
【図１３】本発明の実施の形態３の換気送風装置を示す構成図
【図１４】本発明の実施の形態４の換気送風装置を示す構成図
【図１５】本発明の実施の形態５の換気送風装置を示す構成図
【図１６】同湿度検出手段を追加した換気送風装置を示す構成図
【図１７】従来の有害物質検出手段、警告警報手段を備えた家屋を示す構成図
【符号の説明】
【０１１２】
１    換気送風装置
２    有害物質検出手段
３    必要換気回数演算判定手段
４    報知手段
６    必要換気量演算判定手段
７    通信手段
８    湿度検出手段
９    風量制御手段
１０  建材判定手段
１１  天井
１２  天井裏側
１３  居室側
１４  床
１５  床下側
１６  換気送風装置集中制御手段
１７  検出箇所判定手段
１０１  家屋
１０２  有害物質検出手段
１０３  警告警報手段
【図１】
2005214432.tif 000003
【図２】
2005214432.tif 000004
【図３】
2005214432.tif 000005
【図４】
2005214432.tif 000006
【図５】
2005214432.tif 000007
【図６】
2005214432.tif 000008
【図７】
2005214432.tif 000009
【図８】
2005214432.tif 000010
【図９】
2005214432.tif 000011
【図１０】
2005214432.tif 000012
【図１１】
2005214432.tif 000013
【図１２】
2005214432.tif 000014
【図１３】
2005214432.tif 000015
【図１４】
2005214432.tif 000016
【図１５】
2005214432.tif 000017
【図１６】
2005214432.tif 000018
【図１７】
2005214432.tif 000019